(57)【要約】【課題】基軸プーリと手前プーリとの間に巻掛けられたベルトを手前プーリから奥側プーリにシフトさせる作業を容易にするベルト取付治具を提供する。【解決手段】ベルト取付治具９が、本体部９１と、手前プーリ２１に本体部９１を係止するリブ９２と、奥側プーリ２２に本体部９１を係止するリブ９３と、手前プーリ２１から導入されるＶリブドベルト４を傾斜させる入口規定領域９５ａ、及び、傾斜させたＶリブドベルト４の裏面と対向することによりガイドする奥側プーリ面領域９５ｂを有する奥側プーリ側壁部９５と、入口規定領域９５ａによって傾斜させたＶリブドベルト４の表面と対向することによりガイドする手前プーリ面領域９６ｂ、及び、ベルト通路９７にガイドされたＶリブドベルト４を、奥側プーリ２２の外周面に沿うように、再度傾斜させる出口規定領域９６ａを有する手前プーリ側壁部９６とを備えている。【選択図】図２
2014109287.tif 000002
【特許請求の範囲】
【請求項１】
少なくとも手前プーリ及び奥側プーリを含む複数のプーリが当該プーリの中心軸方向に並設された複数段掛プーリと、基軸プーリとの間に、周長方向に伸縮可能なベルトを巻掛けるに際し、前記基軸プーリと前記手前プーリとの間に巻掛けられた前記ベルトを前記手前プーリから前記奥側プーリにシフトさせるために使用するベルト取付治具であって、
前記複数段掛プーリの外周面に沿う形状をした本体部と、
前記本体部の内周面側に設けられ、前記手前プーリの外周面に前記本体部の内周面を係止する第１係止部と、
前記本体部の内周面側に設けられ、前記奥側プーリの外周面に前記本体部の内周面を係止する第２係止部と、
前記本体部の外周面側に設けられ、前記手前プーリの外周面から導入される前記ベルトを傾斜させる入口規定領域、及び、前記入口規定領域によって傾斜させた前記ベルトの一方の面と対向することにより当該ベルトをガイドする奥側プーリ面領域を有する奥側プーリ側壁部と、
前記本体部の外周面側に設けられ、前記入口規定領域によって傾斜させた前記ベルトの他方の面と対向することにより当該ベルトをガイドする手前プーリ面領域、及び、前記手前プーリ面領域と前記奥側プーリ面領域とによって形成されたベルト通路にガイドされた前記ベルトを、前記奥側プーリの外周面に沿うように、再度傾斜させる出口規定領域を有する手前プーリ側壁部と、
を備えていることを特徴とするベルト取付治具。
【請求項２】
前記入口規定領域は、当該入口規定領域を対面する方向から見たとき、前記本体部外周面と前記入口規定領域とのなす角が鈍角になるように前記奥側プーリ方向に傾斜しており、前記出口規定領域は、当該出口規定領域を対面する方向から見たとき、前記本体部外周面と前記出口規定領域とのなす角が鋭角になるように前記奥側プーリ方向に傾斜していることを特徴とする請求項１に記載のベルト取付治具。
【請求項３】
前記奥側プーリ面領域は、前記入口規定領域を対面する方向から見たとき、前記本体部外周面と前記奥側プーリ面領域とのなす角が鈍角になるように前記奥側プーリ方向に傾斜しており、前記手前プーリ面領域は、前記入口規定領域を対面する方向から見たとき、前記本体部外周面と前記手前プーリ面領域とのなす角が鋭角になるように前記奥側プーリ方向に傾斜していることを特徴とする請求項１又は２に記載のベルト取付治具。
【請求項４】
前記手前プーリ面領域と前記奥側プーリ面領域とによって形成された前記ベルト通路は、前記入口規定領域から前記出口規定領域にかけて前記奥側プーリ方向に傾斜していることを特徴とする請求項１〜３の何れかに記載のベルト取付治具。
【請求項５】
前記ベルト通路は、前記奥側プーリの側面と前記ベルト通路とのなす角が、１５°〜６０°の範囲で形成されていることを特徴とする請求項４に記載のベルト取付治具。
【請求項６】
前記第１係止部は、前記手前プーリの外周面に設けられた凹状の溝部に嵌合する、少なくとも１つの凸状のリブで形成されていることを特徴とする請求項１〜５の何れかに記載のベルト取付治具。
【請求項７】
前記第２係止部は、前記奥側プーリの外周面に設けられた凹状の溝部に嵌合する、少なくとも１つの凸状のリブで形成されていることを特徴とする請求項１〜６の何れかに記載のベルト取付治具。
【発明の詳細な説明】
【技術分野】
【０００１】
本発明は、複数段掛プーリに使用するベルト取付治具に関する。
【背景技術】
【０００２】
一般に、複数のプーリにベルトを巻掛けてなるベルト伝動機構では、プーリ間で確実に動力を伝達させるために装着対象であるプーリ間のレイアウト周長よりもベルト周長を短くしてベルトに強い張力がかかるような仕様になっている。
【０００３】
このようにプーリ間のレイアウト周長よりもベルト周長が短いベルトをプーリに巻掛ける作業は、ベルトの張力に抗する力が必要となり手間がかかることがある。このような手間は、複数のプーリが並設された複数段掛プーリにベルトを巻掛ける際に一層顕著となる（図１の二段掛プーリ２参照）。
【０００４】
例えば、図１（ｂ）に示すように、補機プーリ３と二段掛プーリ２の奥側プーリ２２との間にＶリブドベルト４を巻掛ける場合には、一旦手前プーリ２１に巻掛け、手前プーリ２１に巻掛けたＶリブドベルト４を奥側プーリ２２にシフトさせる方法が採られている。このように、Ｖリブドベルト４を一度に奥側プーリ２２に巻掛けずに、手前プーリ２１を経由する理由としては、手前プーリ２１が、奥側プーリ２２と補機プーリ３を結ぶＶリブドベルト４の走行線からオフセットされた位置にあり、このオフセットが大きくなると、Ｖリブドベルト４の装着過程での取付け作業が容易ではないことが挙げられる。また、このようにオフセットが大きい場合、一度にＶリブドベルト４を奥側プーリ２２に巻掛けると、過度にＶリブドベルト４を伸張させて大きな負荷をかけることになり、Ｖリブドベルト４に永久歪を発生させてしまうことも、Ｖリブドベルト４を一度に奥側プーリ２２に巻掛けずに手前プーリ２１を経由する理由の一つである。
【０００５】
上記のような二段掛プーリ２において、手前プーリ２１に巻掛けたＶリブドベルト４を奥側プーリ２２にシフトさせる際の作業を容易にするためのベルト取付治具が、特許文献１に開示されている。
【０００６】
特許文献１に開示されたベルト取付治具は、ベルトを取り付ける取付姿勢と、ベルトを奥側にシフトさせるシフト姿勢とを切換自在としており、一旦、ベルトを二段掛プーリである第一プーリの手前側プーリに掛巻してベルトを手前側に位置させ、この状態で第二プーリにベルト取付治具を取付姿勢で装着し、ベルトを手前側の側面に引っ掛けることなく取り付ける。その後、ベルト取付治具を第一プーリにシフト姿勢で装着し直して、手前側プーリに掛巻したベルトを奥側プーリにシフトさせて、二段掛けプーリの奥側プーリにベルトを取り付けている。このようにして、二段掛プーリの手前側プーリの側面とベルトとの引っ掛かりを防止しつつ容易にベルトを取り付け可能としている。
【０００７】
より具体的な構成としては、治具本体と、治具本体をプーリフランジに係止するための係止部と、治具本体から背面側に突出する突出部と、周方向に伸長可能なベルトをプーリ軸方向奥側に案内するよう突出部に形成された案内面とを備え、プーリに、前記ベルトをプーリ溝に取り付ける取付姿勢と、前記ベルトを二段掛けプーリのうちの手前側プーリから奥側プーリにシフトさせるシフト姿勢とで、装着可能にするベルト取付治具である。
【先行技術文献】
【特許文献】
【０００８】
【特許文献１】特許第４９８８６１９号明細書
【発明の概要】
【発明が解決しようとする課題】
【０００９】
しかしながら、上記特許文献１に記載されたベルト取付治具では、シフト姿勢の段階において、傾斜した案内面８にベルトを沿わせながら二段掛けプーリの手前側プーリから奥側プーリに移行させるが、案内面８が傾斜しているためベルトが滑ってしまい、ベルトが外に流れてしまう場合があり、手前側プーリから奥側プーリに上手く移行させることができない場合があった。
【００１０】
そこで、本発明は、上記のような課題を解決するためになされたものであり、その目的は、少なくとも手前プーリ及び奥側プーリを含む複数のプーリが並設された複数段掛プーリと、基軸プーリとの間にベルトを巻掛けるに際し、基軸プーリと手前プーリとの間に巻掛けられたベルトを手前プーリから奥側プーリにシフトさせる作業を容易にし、且つ、より確実にベルトを奥側プーリに巻掛けることができるベルト取付治具を提供することにある。
【課題を解決するための手段】
【００１１】
上記課題を解決するための第１の発明は、少なくとも手前プーリ及び奥側プーリを含む複数のプーリが当該プーリの中心軸方向に並設された複数段掛プーリと、基軸プーリとの間に、周長方向に伸縮可能なベルトを巻掛けるに際し、前記基軸プーリと前記手前プーリとの間に巻掛けられた前記ベルトを前記手前プーリから前記奥側プーリにシフトさせるために使用するベルト取付治具であって、前記複数段掛プーリの外周面に沿う形状をした本体部と、前記本体部の内周面側に設けられ、前記手前プーリの外周面に前記本体部の内周面を係止する第１係止部と、前記本体部の内周面側に設けられ、前記奥側プーリの外周面に前記本体部の内周面を係止する第２係止部と、前記本体部の外周面側に設けられ、前記手前プーリの外周面から導入される前記ベルトを傾斜させる入口規定領域、及び、前記入口規定領域によって傾斜させた前記ベルトの一方の面と対向することにより当該ベルトをガイドする奥側プーリ面領域を有する奥側プーリ側壁部と、前記本体部の外周面側に設けられ、前記入口規定領域によって傾斜させた前記ベルトの他方の面と対向することにより当該ベルトをガイドする手前プーリ面領域、及び、前記手前プーリ面領域と前記奥側プーリ面領域とによって形成されたベルト通路にガイドされた前記ベルトを、前記奥側プーリの外周面に沿うように、再度傾斜させる出口規定領域を有する手前プーリ側壁部と、を備えていることを特徴としている。
【００１２】
上記の構成によれば、本体部が複数段掛プーリの外周面に沿う形状をしており、しかも、手前プーリの外周面に本体部の内周面を係止する第１係止部、及び、奥側プーリの外周面に本体部の内周面を係止する第２係止部を備えているので、ベルト取付治具を、複数段掛プーリを構成する手前プーリ及び奥側プーリの外周に沿わせて確実に設置することができる。
また、基軸プーリと手前プーリとの間に巻掛けられたベルトを手前プーリから奥側プーリにシフトさせる際に、手前プーリ及び奥側プーリの外周に沿わせてベルト取付治具を設置することにより、手前プーリの外周面から導入されるベルトを奥側プーリ側壁部の入口規定領域にて傾斜させ、傾斜させたベルトを、手前プーリ側壁部の手前プーリ面領域と奥側プーリ側壁部の奥側プーリ面領域とによって形成されたベルト通路によってガイドし、ガイドされたベルトを出口規定領域によって再度傾斜させて奥側プーリの外周面に沿うように容易に移行させることができる。
しかも、ベルトを手前プーリから奥側プーリにシフトさせる際に、ベルトを傾斜させている入口規定領域及び出口規定領域を支持部にしてベルトが保持されるので、ベルトが手前プーリ方向又は奥側プーリ方向にズレたり滑ったりして、ベルトがベルト取付治具から外れてしまうことを防止することができる。
また、手前プーリ面領域と奥側プーリ面領域とによって形成されたベルト通路に導入されたベルトをガイドさせることにより、ベルトを手前プーリから奥側プーリにスムーズにシフトさせることができる。
【００１３】
また、第２の発明は、第１の発明に係るベルト取付治具において、前記入口規定領域が、当該入口規定領域を対面する方向から見たとき、前記本体部外周面と前記入口規定領域とのなす角が鈍角になるように前記奥側プーリ方向に傾斜しており、前記出口規定領域は、当該出口規定領域を対面する方向から見たとき、前記本体部外周面と前記出口規定領域とのなす角が鋭角になるように前記奥側プーリ方向に傾斜していることを特徴としている。
【００１４】
上記の構成によれば、ベルトを入口規定領域及び出口規定領域において傾斜させる際に、ベルトの傾斜を９０°よりも小さな角度に維持することができる。即ち、ベルトを９０°よりも大きく傾斜させることなく、手前プーリから奥側プーリにシフトさせることができる。これによれば、ベルトに対して傾斜による過度のストレスをかけることなく、ベルトをスムーズに手前プーリから入口規定領域に導入させるとともに、ベルトをスムーズに出口規定領域から奥側プーリにシフトさせることができる。
【００１５】
また、第３の発明は、第１又は第２の発明に係るベルト取付治具において、前記奥側プーリ面領域が、前記入口規定領域を対面する方向から見たとき、前記本体部外周面と前記奥側プーリ面領域とのなす角が鈍角になるように前記奥側プーリ方向に傾斜しており、前記手前プーリ面領域は、前記入口規定領域を対面する方向から見たとき、前記本体部外周面と前記手前プーリ面領域とのなす角が鋭角になるように前記奥側プーリ方向に傾斜していることを特徴としている。
【００１６】
上記の構成によれば、ベルトを手前プーリ面領域と奥側プーリ面領域とによって形成されたベルト通路によってガイドする際に、ベルトを９０°よりも小さな角度に傾斜させてガイドすることができる。即ち、ベルトを９０°よりも大きく傾斜させることなく、入口規定領域からベルト通路を経由して出口規定領域にガイドすることができる。これによれば、ベルトに対して傾斜による過度のストレスをかけることなく、ベルトをスムーズに入口規定領域から出口規定領域にガイドすることができる。
【００１７】
また、第４の発明は、第１〜第３の発明の何れかに係るベルト取付治具において、前記手前プーリ面領域と前記奥側プーリ面領域とによって形成された前記ベルト通路は、前記入口規定領域から前記出口規定領域にかけて前記奥側プーリ方向に傾斜していることを特徴としている。
【００１８】
上記の構成によれば、手前プーリが、奥側プーリと基軸プーリとを結ぶベルトの走行線からオフセットされた位置にある場合に、基軸プーリと手前プーリとの間に巻掛けられてオフセット状態となったベルトを、入口規定領域から出口規定領域にかけて奥側プーリ方向に傾斜したベルト通路を経由させることにより、ベルトのオフセット状態をスムーズに解消しつつ、ベルトを手前プーリから奥側プーリにシフトさせることができる。
【００１９】
また、第５の発明は、第４の発明に係るベルト取付治具における前記ベルト通路は、前記奥側プーリの側面と前記ベルト通路とのなす角が、１５°〜６０°の範囲で形成されていることを特徴としている。
【００２０】
上記の構成によれば、奥側プーリの側面とベルト通路とのなす角を、１５°〜６０°の範囲にすることにより、コンパクト性を保持しつつ、ベルトに対する過度な負荷を防止することができる。
【００２１】
また、第６の発明は、第１〜第５の発明の何れかに係るベルト取付治具において、前記第１係止部が、前記手前プーリの外周面に設けられた凹状の溝部に嵌合する、少なくとも１つの凸状のリブで形成されていることを特徴としている。
【００２２】
上記の構成によれば、第１係止部が、手前プーリの外周面に設けられた凹状の溝部に嵌合する、少なくとも１つの凸状のリブで形成されているため、ベルト取付治具を、複数段掛プーリを構成する手前プーリの外周に正確に設置することができる。
【００２３】
また、第７の発明は、第１〜第６の発明の何れかに係るベルト取付治具において、前記第２係止部が、前記奥側プーリの外周面に設けられた凹状の溝部に嵌合する、少なくとも１つの凸状のリブで形成されていることを特徴としている。
【００２４】
上記の構成によれば、第２係止部が、奥側プーリの外周面に設けられた凹状の溝部に嵌合する、少なくとも１つの凸状のリブで形成されているため、ベルト取付治具を、複数段掛プーリを構成する奥側プーリの外周に正確に設置することができる。
【発明の効果】
【００２５】
少なくとも手前プーリ及び奥側プーリを含む複数のプーリが並設された複数段掛プーリと、基軸プーリとの間にベルトを巻掛けるに際し、基軸プーリと手前プーリとの間に巻掛けられたベルトを手前プーリから奥側プーリにシフトさせる作業を容易にし、且つ、より確実にベルトを奥側プーリに巻掛けることができるベルト取付治具を提供することができる。
【図面の簡単な説明】
【００２６】
【図１】筐体に配置された二段掛プーリ及び補機プーリの説明図である。
【図２】本実施形態に係るベルト取付治具を異なる方向から見た斜視図である。
【図３】本実施形態に係るベルト取付治具のベルト通路に焦点を当てた斜視図である。
【図４】本実施形態に係るベルト取付治具の六面図である。
【図５】本実施形態に係るベルト取付治具の使用方法の第一説明図である。
【図６】本実施形態に係るベルト取付治具の使用方法の第二説明図である。
【図７】本実施形態に係るベルト取付治具の使用方法の第三説明図である。
【図８】本実施形態に係るベルト取付治具の使用方法の第四説明図である。
【図９】本実施形態に係るベルト取付治具の使用方法の第五説明図である。
【図１０】本実施形態に係るベルト取付治具の使用方法の第六説明図である。
【図１１】本実施形態に係るベルト取付治具の使用方法の第七説明図である。
【図１２】その他の実施形態に係るベルト取付治具の六面図である。
【発明を実施するための形態】
【００２７】
（実施形態）
以下、図面を参照しつつ、本願発明の実施形態を説明する。本実施形態に係るベルト取付治具９は、図１に示すように、手前プーリ２１及び奥側プーリ２２が中心軸方向に並設された二段掛プーリ２（複数段掛プーリ）と、補機プーリ３（基軸プーリ）との間に、周長方向に伸縮可能なＶリブドベルト４を巻掛けるに際し、補機プーリ３と手前プーリ２１との間に巻掛けられたベルトを手前プーリ２１から奥側プーリ２２にシフトさせるために使用する（図１０参照）。
【００２８】
図１に示されるように、筐体１には、エンジン等のクランク軸に連結される、手前プーリ２１及び奥側プーリ２２を備えた二段掛プーリ２と、オルタネータの入力軸等に連結される補機プーリ３（基軸プーリ）と、が所定の軸間距離を隔てて回転自在に支持される。また、図１（ｂ）に示すように、手前プーリ２１は、奥側プーリ２２と補機プーリ３を結ぶＶリブドベルト４の走行線からズレた位置に配置されている（オフセットの位置）。そして、二段掛プーリ２の奥側プーリ２２と補機プーリ３との間には、Ｖリブドベルト４が巻掛けされ、もって、クランク軸の動力が、二段掛プーリ２、Ｖリブドベルト４、補機プーリ３を順に介してオルタネータの入力軸に伝動されるようになっている。本実施形態では、二段掛プーリ２と補機プーリ３との間の軸間距離は変更不能とされ、また、図示するように、Ｖリブドベルト４に対して張力を付与する所謂オートテンショナ（張力付与手段）は搭載していない。なお、図示しないが、二段掛プーリ２の手前プーリ２１と他のプーリ（図示していない）との間に、別のＶリブドベルトを巻掛けることによって、他のプーリにも、クランク軸の動力を伝動することができるようになっている。
【００２９】
（二段掛プーリ２の構成）
図１及び図８に示すように、二段掛プーリ２は、手前プーリ２１と手前プーリ２１よりも直径が若干大きい奥側プーリ２２とが中心軸方向に並設されて一体構造となったプーリである。これによると、中心軸を中心にして手前プーリ２１と奥側プーリ２２とが連動して回転可能となる。そして、二段掛プーリ２における手前プーリ２１及び奥側プーリ２２の外周面には、Ｖリブドベルト４の内周面に周長方向に複数形成されたリブと嵌合可能なプーリ溝２１ａ・２２ａ（溝部）がそれぞれ形成されている。また、二段掛プーリ２は、手前プーリ２１のプーリ溝２１ａ及び奥側プーリ２２のプーリ溝２２ａを中心軸方向で挟む３つのプーリフランジ２ａ・２ｂ・２ｃを備えている。このプーリフランジ２ａは、図１（ｂ）の側面視で、上記プーリ溝２１ａより手前プーリ２１の径外方向へ若干、突出して形成されている。また、プーリフランジ２ｂ・２ｃは、図８の側面視で、上記プーリ溝２２ａより奥側プーリ２２の径外方向へ若干、突出して形成されている。また、二段掛プーリ２のボス部５には、エンジンの図示しないクランク軸が挿入される。また、符号２ｄは、手前プーリ２１の側面を示し、符号２ｅは、奥側プーリ２２の側面を示す。そして、手前プーリ２１の側面２ｄには、Ｖリブドベルト４を手前プーリ２１に巻掛ける際に手前プーリ２１の外周からプーリフランジ２ａの外周縁をまたいで掛けられたＶリブドベルト４を係止するためのベルト係止部６が２つ形成されている（図５参照）。このベルト係止部６は、図１（ａ）に示すように、楕円柱形状をしている。なお、上記Ｖリブドベルト４は、その周長方向において若干伸縮可能な所謂低モジュラスベルトである。低モジュラスベルトは、心線にポリアミド繊維を用いることで、弾性率を比較的低くしたものであり、高弾性率のもの（所謂高モジュラスベルト）と比較して急激な張力低下が抑制される。
【００３０】
なお、図１（ａ）の太線矢印ＶはＶリブドベルト４の走行方向を示し、この走行方向にＶリブドベルト４が走行するときの二段掛プーリ２の回転方向を第一回転方向Ａと、この第一回転方向Ａと反対の方向を第二回転方向Ｂと、定義する。
【００３１】
（ベルト取付治具９の構成）
次に、図２〜４を参照しつつ、本実施形態に係るベルト取付治具９の構成を説明する。
【００３２】
図２〜図４に示されるように、ベルト取付治具９は、手前プーリ２１及び奥側プーリ２２の外周面に沿う形状をした本体部９１と、本体部９１の内周面側に設けられ、手前プーリ２１の外周面に形成されたプーリ溝２１ａに嵌合する複数の凸状のリブ９２（第１係止部）と、本体部９１の内周面側に設けられ、奥側プーリ２２の外周面に形成されたプーリ溝２２ａに嵌合する凸状のリブ９３（第２係止部）と、本体部９１の外周面側に設けられた奥側プーリ側壁部９５と、本体部９１の外周面側に設けられた手前プーリ側壁部９６とを主たる構成として備える。
【００３３】
本体部９１は、手前プーリ２１及び奥側プーリ２２の外周面に沿うように湾曲形状をしており、本体部９１の内周面側には上記リブ９２、リブ９３、及び、フランジ対向面９４が設けられている。フランジ対向面９４は、図２（ｂ）（ｃ）に示すように、手前プーリ２１から奥側プーリ２２にかけて傾斜したプーリフランジ２ｂに対向するように、プーリフランジ２ｂの傾斜に合わせて傾斜している。
【００３４】
リブ９２は、図２（ｂ）（ｃ）に示すように、本体部９１の内周面を長手方向に沿って６つの凸状のリブにより構成されている。ベルト取付治具９が二段掛プーリ２に取り付けられた時に、リブ９２が手前プーリ２１のプーリ溝２１ａに嵌合することにより、ベルト取付治具９を、手前プーリ２１の外周に正確に固定することができる。なお、本実施形態では、手前プーリ２１のプーリ溝２１ａの数に合わせて６つのリブによりリブ９２を構成しているが、リブ９２を構成するには少なくとも１つの凸状のリブがあればよいので、リブ９２はプーリ溝２１ａの数より少ない数のリブにより構成してもよい。
【００３５】
リブ９３は、図２（ｂ）（ｃ）に示すように、本体部９１の内周面を長手方向に沿って１つの凸状のリブにより構成されている。ベルト取付治具９が二段掛プーリ２に取り付けられた時に、リブ９３が奥側プーリ２２のプーリ溝２２ａに嵌合することにより、ベルト取付治具９を、奥側プーリ２２の外周に正確に固定することができる。なお、本実施形態では、１つのリブによりリブ９３を構成しているが、リブ９３を構成するには少なくとも１つの凸状のリブがあればよいので、リブ９３は、リブ９２同様に、複数のリブにより構成してもよい。
【００３６】
奥側プーリ側壁部９５は、図２〜図４に示すように、入口規定領域９５ａ及び奥側プーリ面領域９５ｂを有するブロック形状をしており、本体部９１の外周面の奥側プーリ２２側（ベルト取付治具９を二段掛プーリ２に取り付けた状態の位置関係で規定している）に突出して設けられている。
【００３７】
入口規定領域９５ａは、図２（ｂ）に示すように、奥側プーリ側壁部９５の一端部の領域であり、入口規定領域９５ａを対面する方向から見たとき、本体部９１の外周面と入口規定領域９５ａとのなす角αが９３°になるように奥側プーリ２２側に傾斜している。本実施形態では、なす角αを９３°に設定しているが、なす角αは鈍角であればよく、更には、９１°〜１２０°の範囲にあればよい。このようになす角αが９１°〜１２０°の範囲であることが望まれる理由としては、なす角αが９１°より小さい場合には、手前プーリ２１の外周面から導入したＶリブドベルト４を入口規定領域９５ａに当接させた際に、Ｖリブドベルト４が９０°以上の角度でねじれてしまい、Ｖリブドベルト４に過度な負荷をかけてしまうからである。一方、なす角αが１２０°より大きい場合には、手前プーリ２１の外周面から導入したＶリブドベルト４を入口規定領域９５ａに当接させた際に、Ｖリブドベルト４が入口規定領域９５ａから滑り落ちてしまうからである。上記入口規定領域９５ａによれば、手前プーリ２１の外周面から導入されてきたＶリブドベルト４の内周面を入口規定領域９５ａに当接させることにより、Ｖリブドベルト４を８７°の角度で傾斜（ねじれさせる）させることができる。
【００３８】
奥側プーリ面領域９５ｂは、図３に示すように、入口規定領域９５ａを対面する方向から見たとき、本体部９１の外周面と奥側プーリ面領域９５ｂとのなす角γが９３°になるように奥側プーリ２２側に傾斜している。本実施形態では、なす角γをなす角α同様に９３°に設定しているが、入口規定領域９５ａ同様に、なす角γは鈍角であればよく、更には、９１°〜１２０°の範囲にあればよい。そして、奥側プーリ面領域９５ｂは、入口規定領域９５ａによって傾斜させたＶリブドベルト４の内周面と対向することによりＶリブドベルト４を後述する出口規定領域９６ａにガイドする役割を果たす。
【００３９】
手前プーリ側壁部９６は、図２〜図４に示すように、手前プーリ面領域９６ｂ及び出口規定領域９６ａを有するブロック形状をしており、本体部９１の外周面の手前プーリ２１側（ベルト取付治具９を二段掛プーリ２に取り付けた状態の位置関係で規定している）に突出して設けられている。
【００４０】
手前プーリ面領域９６ｂは、図３に示すように、入口規定領域９５ａを対面する方向から見たとき、本体部９１の外周面と手前プーリ面領域９６ｂとのなす角θが８７°になるように奥側プーリ２２側に傾斜している。本実施形態では、なす角θを８７°に設定しているが、なす角θは鋭角であればよく、更には、６０°〜８９°の範囲にあればよい。なお、図３に示すように、奥側プーリ面領域９５ｂと手前プーリ面領域９６ｂとは平行関係にあることが望ましいので、γ＋θ＝１８０°の関係にあるとよい。そして、手前プーリ面領域９６ｂは、入口規定領域９５ａによって傾斜させたＶリブドベルト４の外周面と対向することによりＶリブドベルト４を後述する出口規定領域９６ａにガイドする役割を果たす。
【００４１】
出口規定領域９６ａは、図２（ｃ）に示すように、手前プーリ側壁部９６の一端部の領域であり、出口規定領域９６ａを対面する方向から見たとき、本体部９１の外周面と出口規定領域９６ａとのなす角βが８７°になるように奥側プーリ２２側に傾斜している。本実施形態では、なす角βを８７°に設定しているが、なす角βは鋭角であればよく、更には、６０°〜８９°の範囲にあればよい。なお、入口規定領域９５ａと出口規定領域９６ａとは平行関係にあることが望ましいので（図３参照）、α＋β＝１８０°の関係にあるとよい。上記出口規定領域９６ａによれば、手前プーリ面領域９６ｂ、本体部９１の外周面、及び、奥側プーリ面領域９５ｂによって囲われたベルト通路９７（図３参照）によってガイドされてきたＶリブドベルト４の外周面を出口規定領域９６ａに当接させることにより、奥側プーリ２２の外周面に沿うように、再度傾斜（ねじれさせる）させることができる。
【００４２】
このベルト通路９７は、図２（ｄ）に示すように、入口規定領域９５ａから出口規定領域９６ａにかけて奥側プーリ２２が配置される方向に傾斜している。この傾斜角度は、奥側プーリ２２の側面２ｅとベルト通路９７とのなす角εで規定され（図２（ｄ）参照）、本実施形態では、なす角εは１６°に設定している。なお、なす角εは、１５°〜６０°の範囲で形成されることが望ましい。その理由として、なす角εが１５°よりも小さい場合には、ベルト通路９７が長くなってしまい、ベルト取付治具９の長手方向の幅を大きくしてしまうため、ベルト取付治具９自体のコンパクト性に欠けるからである。一方、なす角εが６０°より大きい場合には、入口規定領域９５ａから出口規定領域９６ａにかけての傾斜が大きなものとなるので、Ｖリブドベルト４をベルト通路９７に導入する際に、入口規定領域９５ａ及び出口規定領域９６ａに当接するＶリブドベルト４に過度の負荷を与えてしまうおそれがあるからである。
【００４３】
また、ベルト通路９７の幅（奥側プーリ面領域９５ｂと手前プーリ面領域９６ｂとに間に挟まれた箇所）は、Ｖリブドベルト４の側面幅（Ｖリブドベルト４の厚み）よりも若干大きめに設定されている。
【００４４】
（ベルト取付治具９の使用方法）
次に、図５〜図１１を参照しつつ、上記のベルト取付治具９の使用方法を説明する。具体的には、先ず、補機プーリ３と二段掛プーリ２の手前プーリ２１との間に、Ｖリブドベルト４を巻掛ける手順について説明した後、手前プーリ２１に巻掛けられたＶリブドベルト４を、ベルト取付治具９を使用して奥側プーリ２２にシフトさせる手順について説明する。
【００４５】
なお、図示しないが、二段掛プーリ２のボス部５にレンチを連結し、二段掛プーリ２を手動で自由に回転できるようにしている。
【００４６】
＜手順（ａ）＞
先ず、二段掛プーリ２のベルト係止部６にＶリブドベルト４を掛けやすい位置にくるようにレンチを回して二段掛プーリ２を回転させる。そして、図５に示すように、Ｖリブドベルト４を補機プーリ３に巻掛けると共に、Ｖリブドベルト４を二段掛プーリ２の手前プーリ２１の外周からプーリフランジ２ａをまたいでベルト係止部６に引っ掛けた状態となるように係止する。
【００４７】
＜手順（ｂ）＞
次に、図６に示すように、レンチを回して二段掛プーリ２を第一回転方向Ａに回転させる。そして、更に、継続して二段掛プーリ２を第一回転方向Ａに回転させると、ベルト係止部６がＶリブドベルト４を押し出して、手前プーリ２１の外周上にＶリブドベルト４が巻掛けられた状態になる。即ち、図７及び図８に示すように、ベルト係止部６に掛けられて係止されていたＶリブドベルト４は、自己の張力によってベルト係止部６を離れ、手前プーリ２１の外周上へと自発的に移動する。このようにして、図８に示すように、補機プーリ３と手前プーリ２１との間にＶリブドベルト４が巻掛けられる。
【００４８】
なお、本実施形態では、補機プーリ３と手前プーリ２１との間にＶリブドベルト４を巻掛けるに際して、二段掛プーリ２の側面２ｄに設けられたベルト係止部６を使用した場合について説明したが、これに限らず、補機プーリ３と手前プーリ２１との間にＶリブドベルト４を巻掛ける場合には、一般的な一段掛けプーリ間におけるＶリブドベルト４の巻掛けに使用されるベルト取付治具を使用してもよい（例えば、特開２０１１−２０８７５３号公報に開示されたベルト取付治具）。
【００４９】
＜手順（ｃ）＞
次に、補機プーリ３と手前プーリ２１との間に巻掛けられたＶリブドベルト４を、ベルト取付治具９を使用して手前プーリ２１から奥側プーリ２２にシフトさせる手順について説明する。
【００５０】
まず、図９（ａ）に示すように、ベルト取付治具９を手に持ち、手に持ったベルト取付治具９のベルト通路９７を、補機プーリ３と手前プーリ２１との間に巻掛けられたＶリブドベルト４の側面に対して対向した状態にする（図９（ａ）の破線状のベルト取付治具９参照）。そして、ベルト取付治具９を矢印方向に移動して、ベルト取付治具９のベルト通路９７をＶリブドベルト４の側面に挟み込む（図９（ａ）の実線のベルト取付治具９参照）。この際、奥側プーリ面領域９５ｂと手前プーリ面領域９６ｂとによってＶリブドベルト４が挟まれることになる。また、奥側プーリ面領域９５ｂとＶリブドベルト４の裏面側（リブが設けられている側）とが対向した状態になる。また、手前プーリ面領域９６ｂとＶリブドベルト４の表側とが対向した状態となる。
【００５１】
次に、図９（ｂ）に示すように、ベルト取付治具９のベルト通路９７にＶリブドベルト４が挟まれた状態のまま、ベルト取付治具９の長手方向を回転軸として、手前から奥に９０°回転させる（図９（ｂ）の回転方向Ｋ参照）。
【００５２】
上記のようにベルト取付治具９を９０°回転させると、図９（ｃ）に示すように、Ｖリブドベルト４の内周面（リブが設けられている面）が入口規定領域９５ａに当接することにより、Ｖリブドベルト４は、手前プーリ２１の外周面上にあるＶリブドベルト４を基準にして、入口規定領域９５ａの傾斜角度（１８０°−９３°（なす角α））である８７°の角度で傾斜（ねじれた）した状態となる。同様に、Ｖリブドベルト４の外周面が出口規定領域９６ａに当接することにより、Ｖリブドベルト４は、手前プーリ２１の外周面上にあるＶリブドベルト４を基準にして、出口規定領域９６ａの傾斜角度（なす角β）である８７°の角度で傾斜（ねじれた）した状態となる。また、ベルト取付治具９のリブ９２は、手前プーリ２１の外周面に設けられたプーリ溝２１ａと対向した位置関係になる。また、ベルト取付治具９のリブ９３も、奥側プーリ２２の外周面に設けられたプーリ溝２２ａと対向した位置関係になる。
【００５３】
＜手順（ｄ）＞
次に、図１０（ａ）に示すように、レンチを回して二段掛プーリ２を第一回転方向Ａに回転させながら、ベルト取付治具９を二段掛プーリ２の外周面に移行させる（図１１（１）参照）。これにより、ベルト取付治具９のリブ９２は、手前プーリ２１の外周面に設けられたプーリ溝２１ａに嵌合した状態になる。同様に、ベルト取付治具９のリブ９３も、奥側プーリ２２の外周面に設けられたプーリ溝２２ａに嵌合した状態になる。その結果、ベルト取付治具９は、リブ９２と手前プーリ２１のプーリ溝２１ａとの嵌合、リブ９３と奥側プーリ２２のプーリ溝２２ａとの嵌合、及び、Ｖリブドベルト４の張力により、二段掛プーリ２の外周上に固定されることになる。
【００５４】
次に、ベルト取付治具９が二段掛プーリ２の外周上に固定された状態でレンチを回して二段掛プーリ２を第一回転方向Ａに、更に回転させる（図１１（２）（３）参照）。すると、図１０（ｂ）に示すように、手前プーリ２１の外周面からベルト取付治具９のベルト通路９７に導入されたＶリブドベルト４は、奥側プーリ２２の外周面に沿うように移行する。より具体的に、手前プーリ２１の外周面から導入されたＶリブドベルト４は、入口規定領域９５ａによって傾斜させられ、傾斜させられたＶリブドベルト４は、ベルト通路９７によってガイドされ、更に、出口規定領域９６ａによって再度傾斜させられて奥側プーリ２２の外周面に沿うように移行されることになる。
【００５５】
更に、二段掛プーリ２を、第一回転方向Ａに回転させる。すると、Ｖリブドベルト４は、自然とベルト通路９７から離れて二段掛プーリ２の外周へと移動する（図１１（４）参照）。この移動後、ベルト取付治具９を二段掛プーリ２の外周から回収する。
【００５６】
上記手順に従えば、補機プーリ３と手前プーリ２１との間に巻掛けられたＶリブドベルト４を、補機プーリ３と奥側プーリ２２との間に巻掛けられた状態にシフトすることができる。
【００５７】
以上説明したように、本実施形態に係るベルト取付治具９によれば、本体部９１が二段掛プーリ２の外周に沿う形状をしており、しかも、手前プーリ２１の外周面に本体部９１の内周面を係止するリブ９２、及び、奥側プーリ２２の外周面に本体部９１の内周面を係止するリブ９３を備えているので、ベルト取付治具９を、二段掛プーリ２を構成する手前プーリ２１及び奥側プーリ２２の外周に沿わせて確実に設置することができる。
【００５８】
また、補機プーリ３と手前プーリ２１との間に巻掛けられたＶリブドベルト４を手前プーリ２１から奥側プーリ２２にシフトさせる際に、手前プーリ２１及び奥側プーリ２２の外周に沿わせてベルト取付治具９を設置することにより、手前プーリ２１の外周面から導入されるＶリブドベルト４を奥側プーリ側壁部９５の入口規定領域９５ａにて傾斜させ、傾斜させたＶリブドベルト４を、手前プーリ面領域９６ｂと奥側プーリ面領域９５ｂとによって挟まれたベルト通路９７によってガイドし、ガイドされたＶリブドベルト４を出口規定領域９６ａによって再度傾斜させて奥側プーリ２２の外周面に沿うように容易に移行させることができる。
しかも、Ｖリブドベルト４を手前プーリ２１から奥側プーリ２２にシフトさせる際に、Ｖリブドベルト４を傾斜させている入口規定領域９５ａ及び出口規定領域９６ａを支持部（支点）にしてＶリブドベルト４が保持されるので、Ｖリブドベルト４が手前プーリ２１の方向又は奥側プーリ２２の方向にズレたり滑ったりして、Ｖリブドベルト４がベルト取付治具９から外れてしまうことを防止することができる。
また、手前プーリ面領域９６ｂと奥側プーリ面領域９５ｂとによって挟まれたベルト通路９７に導入されたＶリブドベルト４をガイドさせることにより、Ｖリブドベルト４を手前プーリ２１から奥側プーリ２２にスムーズにシフトさせることができる。
【００５９】
また、上記の構成によれば、Ｖリブドベルト４を入口規定領域９５ａ及び出口規定領域９６ａにおいて傾斜させる際に、Ｖリブドベルト４の傾斜を９０°よりも小さな角度に維持することができる。即ち、Ｖリブドベルト４を９０°よりも大きく傾斜させることなく（ねじれさせることなく）、手前プーリ２１から奥側プーリ２２にシフトさせることができる。これによれば、Ｖリブドベルト４に対して傾斜による過度のストレスをかけることなく、Ｖリブドベルト４をスムーズに手前プーリ２１から入口規定領域９５ａに導入させるとともに、Ｖリブドベルト４をスムーズに出口規定領域９６ａから奥側プーリ２２にシフトさせることができる。
【００６０】
また、上記の構成によれば、Ｖリブドベルト４を手前プーリ面領域９６ｂと奥側プーリ面領域９５ｂとによって形成されたベルト通路９７によってガイドする際に、Ｖリブドベルト４を９０°よりも小さな角度に傾斜させてガイドすることができる。即ち、Ｖリブドベルト４を９０°よりも大きく傾斜させることなく、入口規定領域９５ａからベルト通路９７を経由して出口規定領域９６ａにガイドすることができる。これによれば、Ｖリブドベルト４に対して傾斜による過度のストレスをかけることなく、Ｖリブドベルト４をスムーズに入口規定領域９５ａから出口規定領域９６ａにガイドすることができる。
【００６１】
また、上記の構成によれば、手前プーリ２１が、奥側プーリ２２と補機プーリ３とを結ぶＶリブドベルト４の走行線からオフセットされた位置にある場合に、補機プーリ３と手前プーリ２１との間に巻掛けられてオフセット状態となったＶリブドベルト４を、入口規定領域９５ａから出口規定領域９６ａにかけて奥側プーリ２２側の方向に傾斜したベルト通路９７を経由させることにより、Ｖリブドベルト４のオフセット状態をスムーズに解消しつつ、Ｖリブドベルト４を手前プーリ２１から奥側プーリ２２にシフトさせることができる。
【００６２】
また、上記の構成によれば、奥側プーリ２２の側面２ｅとベルト通路９７とのなす角εを、１５°〜６０°の範囲にすることにより、コンパクト性を保持しつつ、Ｖリブドベルト４に対する過度な負荷を防止することができる。
【００６３】
また、上記の構成によれば、第１係止部としてのリブ９２が、手前プーリ２１の外周面に設けられた凹状のプーリ溝２１ａに嵌合する、少なくとも１つ以上の凸状のリブで形成されているため、ベルト取付治具９を、二段掛プーリ２を構成する手前プーリ２１の外周に正確に設置することができる。
【００６４】
また、上記の構成によれば、第２係止部としてのリブ９３が、奥側プーリ２２の外周面に設けられた凹状のプーリ溝２２ａに嵌合する、少なくとも１つ以上の凸状のリブで形成されているため、ベルト取付治具９を、二段掛プーリ２を構成する奥側プーリ２２の外周に正確に設置することができる。
【００６５】
（その他の実施形態）
上記実施形態におけるベルト取付治具９において、奥側プーリ側壁部９５及び手前プーリ側壁部９６は、図２（ｄ）に示すように、ベルト取付治具９の短手方向に厚みがある構成としているが、これに限らず、奥側プーリ側壁部９５及び手前プーリ側壁部９６の短手方向の厚みを小さくした形状にしてもよい。例えば、図１２に示すベルト取付治具１０９のように、奥側プーリ側壁部１９５及び手前プーリ側壁部１９６を板形状として厚みを減らす構造が挙げられる。これによれば、ベルト取付治具１０９自体のコンパクト化・軽量化を図ることができる。
【００６６】
以上、本発明の実施形態について説明したが、本発明は上述の実施の形態に限られるものではなく、特許請求の範囲に記載した限りにおいて様々に変更して実施することができるものである。
【符号の説明】
【００６７】
１  筐体
２  二段掛プーリ
２１  手前プーリ
２１ａ  プーリ溝
２２  奥側プーリ
２２ａ  プーリ溝
３  補機プーリ
４  Ｖリブドベルト
９  ベルト取付治具
９１  本体部
９２  リブ
９３  リブ
９４  フランジ対向面
９５    奥側プーリ側壁部
９５ａ  入口規定領域
９５ｂ  奥側プーリ面領域
９６    手前プーリ側壁部
９６ａ  出口規定領域
９６ｂ  手前プーリ面領域
９７  ベルト通路
Ａ  第一回転方向
【図１】
2014109287.tif 000003
【図２】
2014109287.tif 000004
【図３】
2014109287.tif 000005
【図４】
2014109287.tif 000006
【図５】
2014109287.tif 000007
【図６】
2014109287.tif 000008
【図７】
2014109287.tif 000009
【図８】
2014109287.tif 000010
【図９】
2014109287.tif 000011
【図１０】
2014109287.tif 000012
【図１１】
2014109287.tif 000013
【図１２】
2014109287.tif 000014